(57)【要約】  【課題】  室内機の熱交換器とケーシングとを固定する熱交換機ホルダーに膨張弁を搭載し、さらに膨張弁から発生する冷媒音（騒音）を遮音する遮音カバーを設ることにより、騒音が室内機の外へ漏れ出すのを抑制することができる空気調和機を提供する。  【解決手段】  吸込口と吹出口とを結ぶ空気通路内に冷凍サイクルに含まれる熱交換器２と送風機とが配置されている室内機に、熱交換器２を両端から支持する左右一対の熱交換器ホルダを備え、一方の熱交換器ホルダ３ｂの後方に、冷媒流量を調整する膨張弁６が設けられている空気調和機であって、熱交換器ホルダ３ｂに膨張弁を被う金属部材で形成した遮音カバーを設けた構成となっている。  【選択図】図３
2008309444.tif 000002
【特許請求の範囲】
【請求項１】
吸込口と吹出口とを結ぶ空気通路内に冷凍サイクルに含まれる熱交換器と送風機とが配置されている室内機筐体内に、前記熱交換器の側面を支持する熱交換器ホルダと冷媒流量を調整する膨張弁を備えてなる空気調和機において、
前記熱交換器ホルダに、前記膨張弁を取付ける取付部を設けてなることを特徴とする空気調和機。
【請求項２】
前記熱交換器ホルダに前記膨張弁を被う遮音カバーを設けてなることを特徴とする請求項１に記載の空気調和機。
【請求項３】
前記熱交換器の有効長を短縮して前記熱交換器ホルダの幅を広げ、この空きスペースに前記膨張弁と配管の一部を設けてなることを特徴とする請求項１に記載の空気調和機。
【請求項４】
前記膨張弁を前記熱交換器ホルダの後方に設けてなることを特徴とする請求項１乃至請求項３のいずれかに記載の空気調和機。
【請求項５】
前記遮音カバーを金属部材で形成してなることを特徴とする請求項２乃至請求項４のいずれかに記載の空気調和機。
【発明の詳細な説明】
【技術分野】
【０００１】
本発明は室内機の熱交換機ホルダーに膨張弁を搭載し、さらに膨張弁から発生する冷媒音（騒音）を遮音する遮音カバーを設け空気調和機の構造に関する。
【背景技術】
【０００２】
従来より、１台の室外機に対して並列に複数の室内機を接続するマルチ型の空気調和装置がある。これらの室内機には、複数の室内機を個別に発停したり制御したりすることから、それぞれに膨張弁が設けられ、筐体内に配置する場合もある。この膨張弁は、室内機の熱交換器に流れる冷媒量を調整する役割を果たすもので、液ガス混合の状態の冷媒が膨張するときなどに比較的大きな音を発し、騒音が室内へと漏れ出ることがある。この騒音を遮音する方法として、図７及び図８に示すようなものが知られている（特許文献１参照）。
【０００３】
図７及び図８に示すように、室内機９３では、送風機３４の前方、上方、および後方の一部を覆う室内熱交換器４０が、主として前側熱交換器４１および後側熱交換器４２から構成されている。後側熱交換器４２は、前側熱交換器４１よりも有効長が短く、そのモータ側の端部４２ｂが前側熱交換器４１の端部４１ｂよりも室内機９３の幅方向中央部分寄りに位置している（図７参照）。これにより、後側熱交換器４２の外側には、比較的大きいスペースＳＰが確保される。
【０００４】
また、室内機９３では、前側熱交換器４１の上端４１ａと後側熱交換器４２の上端４２ａとが少し離れる構造が採られており、その間は接続板４３が張られている。この接続板４３は、前側熱交換器４１と後側熱交換器４２とを室内熱交換器４ａとして一体化してする共に、室内熱交換器４ａの上方から下方の送風機３４へと前側熱交換器４１や後側熱交換器４２を通ることなく空気が素通りしてしまうことを防止する役割を果たす。
【０００５】
そして、室内機９３では、前側熱交換器４１と後側熱交換器４２との有効長の違いにより生み出されたスペースＳＰに、膨張弁３３ａと、同膨張弁３３ａに接続される冷媒配管１３３と、前記膨張弁３３ａを出た冷媒を室内熱交換器４ａの各伝熱流路に分流させる分流器３９などを配置している。
【０００６】
さらに、室内機９３では、膨張弁３３ａなどが配置されるスペースＳＰを、金属カバー５０と、上下仕切板４４と、左右仕切板４５とにより囲っている。金属カバー５０は、スペースＳＰの上方を覆う第１カバー部５１と、第１カバー部５１の前端から前側熱交換器４１の前面に沿って斜め下方に延びる第２カバー部５２と、第１カバー部５１の後端から斜め下方に延びスペースＳＰの後方の覆う第３カバー部５３とが一体に形成された板金部材である。この金属カバー５０は、主として遮音の目的で設けられている。一方、上下仕切板４４および左右仕切板４５は、スペースＳＰに流れ込んだ空気の送風機側への漏れ出しを防止するために設けられている金属製の板状部材である。上下仕切板４４は、送風機３４の上方に位置し、送風機３４の周囲のスペースと膨張弁３３ａ等が配置されるスペースＳＰとを仕切っている。
【０００７】
また、前側熱交換器４１の下端の下方には前ドレンパン６１が、後側熱交換器４２の下端の下方には後ドレンパン６２が、それぞれ配置されている。後側熱交換器４２の端部４２ｂから左右仕切板４５を伝って降りてきたドレン水や、圧力差によりスペースＳＰから隙間を伝って上下仕切板４４と左右仕切板４５との交差部分から送風機３４側にしみ出てきたドレン水が、ドレン経路６３に導かれてドレンパン６２に流れ込むようになる（図７参照）。
【０００８】
しかしながら上記従来例では、後側熱交換器４２を大きく短縮させたことにより、送風性能の悪化（特にサージング性能）があり、後側熱交換器４２に設けたスペースＳＰから送風機３４へ風が流入しないように仕切板４４，４５を有するなど構造が複雑あった。
【特許文献１】特開２００３−３３６８５７号公報
【発明の開示】
【発明が解決しようとする課題】
【０００９】
本発明は上記の問題点に鑑み、室内機の熱交換器とケーシングとを固定する熱交換機ホルダーに膨張弁を取付けることにより、組立てが容易でメンテナンスがし易い室内機とすることができ、さらに膨張弁から発生する冷媒音（騒音）を遮音する遮音カバーを設ることにより、騒音が室内機の外へ漏れ出すのを抑制することができる空気調和機を提供することを目的としている。
【課題を解決するための手段】
【００１０】
本発明は上述の課題を解決するため、吸込口と吹出口とを結ぶ空気通路内に冷凍サイクルに含まれる熱交換器と送風機とが配置されている室内機筐体内に、前記熱交換器の側面を支持する熱交換器ホルダと冷媒流量を調整する膨張弁を備えいる空気調和機において、前記熱交換器ホルダに、前記膨張弁を取付ける取付部を設けてなる構成となっている。
【００１１】
また、前記熱交換器ホルダに膨張弁を被う遮音カバーを設けた構成となっている。
【００１２】
また、前記熱交換器の有効長を短縮して前記熱交換器ホルダの幅を広げ、この空きスペースに前記膨張弁を設けてなる構成となっている。
【００１３】
また、前記膨張弁を前記熱交換器ホルダの後方に設けてなる構成となっている。
【００１４】
さらに、前記遮音カバーを金属部材で形成してなる構成となっている。
【発明の効果】
【００１５】
本発明によれば、請求項１の熱交換器ホルダのいずれか一方に、前記膨張弁を取付ける取付部を設けてなる構成とするとにより、熱交換器ホルダが本体ケーシングと別体で着脱が容易であるため、組立性が容易となり、メンテナンスもし易くなる。また、請求項２の熱交換器ホルダに膨張弁を被う遮音カバーを設ける構成とするとにより、騒音が室内へ漏れるのを抑制できる。また、請求項３の熱交換器の有効長を短縮し、この空きスペースに膨張弁と配管の一部を設けることにより、室内機の横幅を変えず、また、熱交換器の効率をほとんど落とさずに膨張弁と配管の一部を取付けられる。また、請求項４の膨張弁を熱交換器ホルダの後方に設けることにより、室内への騒音の影響を少なくできる。また、請求項５の遮音カバーを金属部材で形成することにより、防音効果を大きくすることができる。
【発明を実施するための最良の形態】
【００１６】
以下、本発明の実施の形態を、添付図面に基づいた実施例として詳細に説明する。
【００１７】
図１は本発明の一実施形態に係る空気調和機の室内機の分解斜視図で、図２は熱交換器ユニットに取付けた熱交換器ホルダとケーシングに取付けた送風機の要部分解斜視図で、図３は熱交換器ユニットに取付けた熱交換器ホルダに、膨張弁を取付けた斜視図で、図４は熱交換器ホルダに膨張弁を取付けた要部拡大斜視図で、図５は本発明の熱交換器ホルダの断面図で、（Ａ）は上面から見た図で、（Ｂ）は正面から見た図で、図６は本発明と比較するために示した従来の熱交換器ホルダの断面図で、（Ａ）は上面から見た図で、（Ｂ）は正面から見た図である。
【００１８】
本発明による空気調和機の室内機１は、図示しない取付金具を介して壁面に取り付けられるベースパネル１００と、ベースパネルの上面から前面にかけて覆うように上記ベースパネル１００に取り付けられる化粧パネル２００とを備えており、いずれも合成樹脂の成型品からなる構成になっている。
【００１９】
上記ベースパネル１００は全体が断面Ｌ字状に形成されており、送風機５を構成するクロスフローファン（図２参照）や冷凍サイクルに含まれる熱交換器ユニット２、ドレンパン（図示しない）などが格納されている。
【００２０】
前記ベースパネル１００の両端には、上記熱交換器ユニット２を支持する熱交換器ホルダ３ａ，３ｂが左右一対に設けられており、この熱交換器ホルダ３ａ，３ｂ同士の間に上記熱交換器ユニット２が掛け渡されている。
【００２１】
前記熱交換器ユニット２は３つの熱交換器２１〜２３をほぼラムダ（Λ）型に組み合わせて連結したものからなり、送風機５を覆うように取り付けられている。前面側熱交換器２１，２２と背面側熱交換器２３（図２参照）とは、図示しない側板に固定され、この側板が前記熱交換器ホルダ３ａ，３ｂで支持されている。
【００２２】
前記ベースパネル１００の一方の熱交換器ホルダ３ｂ（図１では右側）には、冷媒流量を調整する膨張弁６と、前記室内機ユニット１を駆動するための各種電源装置や電子部品などが格納された電装品箱４が設けられている。
【００２３】
また、前記ベースパネル１００の下面側には、送風機５の送風作用によって空気を室内に向けて送出するための空気吹出口１１０が形成されている。
【００２４】
上記ベースパネル１００には、上記熱交換器ユニット２を覆うように化粧パネル２００が取り付けられる。上記化粧パネル２００は、後端側に設けられた図示しない係止爪を介して上記ベースパネル１００の上端に固定され、上記室内機１の外観を構成している。
【００２５】
図３および図４に示すように前記熱交換器ユニット２を支持する右側の熱交換器ホルダ３ｂには冷媒流量を調整する膨張弁６が設けられている。膨張弁６は液ガス混合の状態の冷媒が膨張するときなどに比較的大きな騒音を発生するため、膨張弁６の両側に仕切板７ａ，７ｂが設けられ、図２に示すように遮音カバー８で被われている。
【００２６】
図５（Ａ），（Ｂ）は本発明における熱交換器ホルダ３ｂで、前記膨張弁６および配管の取付け用スペースを確保するため、図６（Ａ），（Ｂ）に示す従来品に比べ、前面側熱交換器２１，２２を約３５ｍｍ，背面側熱交換器２３を約５０ｍｍ短縮し、その分、前記熱交換器ホルダ３ｂを拡張している。特に、背面側熱交換器２３は側面に膨張弁６を取付けるため、前面側熱交換器２１，２２より短縮されている。
【００２７】
以上説明したように、膨張弁６および接続配管を、熱交換器ユニット２と分離可能な熱交換器ホルダ３ｂを拡張してそこに取付けることにより、組立てが容易で、メンテナンスのし易い室内機とすることができる。
【図面の簡単な説明】
【００２８】
【図１】本発明の実施形態に係る空気調和機の室内機の分解斜視図である。
【図２】本発明における熱交換器ホルダに取付けた熱交換器ユニットとケーシングに取付けた送風機の要部分解斜視図である。
【図３】本発明における熱交換器ユニットに取付けた熱交換器ホルダに、膨張弁を取付けた斜視図である。
【図４】本発明における熱交換器ホルダに膨張弁を取付けた要部拡大斜視図である。
【図５】本発明における熱交換器ホルダの断面図で、（Ａ）は上面から見た上面図で、（Ｂ）は正面から見た正面図である。
【図６】当社の従来例における熱交換器ホルダの断面図で、（Ａ）は上面から見た上面図で、（Ｂ）は正面から見た正面図である。
【図７】従来例における室内機内部の要部斜視図である。
【図８】従来例における室内機の横断面図である。
【符号の説明】
【００２９】
１    室内機ユニット
２    熱交換器ユニット
３ａ，３ｂ  熱交換器ホルダ
４    電装品箱
５    送風機
６    膨張弁
７ａ，７ｂ  仕切板
８    遮音カバー
２１，２２  前面側熱交換器
２３    背面側熱交換器
１００  ベースパネル
１１０  空気吹出口
２００  化粧パネル
【図１】
2008309444.tif 000003
【図２】
2008309444.tif 000004
【図３】
2008309444.tif 000005
【図４】
2008309444.tif 000006
【図５】
2008309444.tif 000007
【図６】
2008309444.tif 000008
【図７】
2008309444.tif 000009
【図８】
2008309444.tif 000010